(57)【要約】【課題】単相３線用ケーブルの３本の電線を接続した接続状態を容易に解除することができるコンセントを提供する。【解決手段】器体１から膨出した第１の膨出部１３ａに単相３線用ケーブルの３本の電線それぞれを挿入する３つの電線挿入孔（電源用電線挿入孔）１４，１４，１４が貫設され、３つの電源用電線挿入孔１４，１４，１４それぞれを通して器体１内へ挿入される３本の電線をそれぞれ導電性を有する板ばねからなる電源用鎖錠ばねのばね力によって接続保持する速結端子構造の電源用端子部が設けられている。器体１内において３個の電源用鎖錠ばねに跨るように配設され電源用端子部に３本の電線を接続保持した状態で解除する際に操作される１つの電源用解除釦を備え、第１の膨出部１３ａにおいて電源用解除釦に対応する部位に電源用解除釦を操作するための操作孔１５が貫設されている。【選択図】      図１
2004259568.tif 000002
【特許請求の範囲】
【請求項１】
単相３線の電圧線間の電圧用のプラグを差込可能な第１の差込部および単相３線の一方の電圧線と中性線との間の電圧用のプラグを差込可能な第２の差込部が前壁に設けられ単相３線用ケーブルの３本の電線それぞれを挿入する３つの電源用電線挿入孔が貫設された器体を備え、第１の差込部に差し込まれるプラグおよび第２の差込部に差し込まれるプラグと３つの電源用電線挿入孔を通して器体内へ挿入される３本の電線とを器体内の導電部材により接続するコンセントであって、３つの電源用電線挿入孔それぞれを通して器体内へ挿入される単相３線用ケーブルの３本の電線をそれぞれ導電性を有する板ばねからなる電源用鎖錠ばねのばね力によって接続保持する速結端子構造の電源用端子部が設けられるとともに、器体内において３個の電源用鎖錠ばねに跨るように配設され電源用端子部に単相３線用ケーブルの３本の電線を接続保持した状態を解除する際に操作される１つの電源用解除釦が設けられてなることを特徴とするコンセント。
【請求項２】
前記各電源用電線挿入孔は、前記器体の後壁から膨出した膨出部に貫設され、前記単相３線用ケーブルの前記電線の連設ピッチに合わせたピッチで一列に並んでいることを特徴とする請求項１記載のコンセント。
【請求項３】
前記器体は、前端部の外周形状が施工面に固定される金属製取付枠に形成された長方形状の開口窓に合致する形状に形成されて前端部が開口窓内に挿入された形で金属製取付枠に保持され、長手方向の中央部において短手方向の一方側に前記膨出部が設けられるとともに他方側に他の膨出部が設けられ、前記各膨出部は、前記器体の後壁と後壁に隣り合う側壁とに跨って形成され、側壁から膨出された部分が金属製取付枠の後面に当接させてなることを特徴とする請求項２記載のコンセント。
【請求項４】
前記器体には、前記一方の電圧線と前記中性線との間の電圧の送り配線用電線を挿入する送り用電線挿入孔およびアース電線を挿入するアース用電線挿入孔が貫設され、送り用電線挿入孔を通して前記器体内へ挿入される送り配線用電線を導電性を有する板ばねからなる送り配線用鎖錠ばねのばね力によって接続保持する速結端子構造の送り配線用端子部が設けられるとともに、アース用電線挿入孔を通して前記器体内へ挿入されるアース電線を導電性を有する板ばねからなるアース電線用鎖錠ばねのばね力によって接続保持する速結端子構造のアース用端子部が設けられ、送り用電線挿入孔およびアース用電線挿入孔が前記他の膨出部に形成されてなることを特徴とする請求項３記載のコンセント。
【請求項５】
前記器体は、前記他の膨出部における前記送り用電線挿入孔と前記アース用電線挿入孔との間の部位に凸部若しくは凹部が設けられてなることを特徴とする請求項４記載のコンセント。
【請求項６】
前記器体には、アース電線を挿入するアース用電線挿入孔が前記他の膨出部に貫設され、アース用電線挿入孔を通して前記器体内へ挿入されるアース電線を導電性を有する板ばねからなるアース電線用鎖錠ばねのばね力によって接続保持する速結端子構造のアース用端子部が設けられてなることを特徴とする請求項３記載のコンセント。
【発明の詳細な説明】
【０００１】
【発明の属する技術分野】
本発明は、壁面などの施工面に一部を埋め込んだ形で施工されるコンセントに関するものである。
【０００２】
【従来の技術】
従来より、２００Ｖ用のコンセントとして図８に示す構成のものが提供されている（例えば、特許文献１）。ここに、図８に示す構成のコンセントの器体１’は、埋込型の配線器具の施工時に用いる金属製取付枠（ＪＩＳ  Ｃ８３７５参照）２’に取り付けられ、例えば、図９に示すような柱上変圧器Ｔの二次側の単相３線の電線５１，５２，５３に接続される
図８に示した構成のコンセントは、極配置の異なる２個のプラグを接続することができるように、器体１’の前壁に２つの差込部１１’，１２’が形成されている。図８（ａ）における上側の差込部１１’は、接地極付きプラグの一対の栓刃が挿入される一対の栓刃挿入口１１ａ’，１１ｂ’と、接地極である接地ピンが挿入される接地ピン挿入口１１ｃ’とを有し、図８（ａ）における下側の差込部１２’は、接地極付きプラグの一対の栓刃が挿入される一対の栓刃挿入口１２ａ’，１２ｂ’と、接地極である接地ピンが挿入される接地ピン挿入口１２ｃ’とを有している。
【０００３】
また、上述のコンセントには、器体１’の後壁に貫設した電線挿入孔１４’を通して器体１’に挿入された電線を導電性を有する板ばねからなる鎖錠ばね（図示せず）のばね力によって接続保持する速結端子構造の３つの端子部（図示せず）が設けられている。ここにおいて、器体１’の後壁には各端子部に対応する部位にそれぞれ一対の電線挿入孔１４’，１４’が貫設されており、各端子部にはそれぞれ一対の鎖錠ばねが設けられている。
【０００４】
ところで、上述のコンセントは、上述の３つの端子部のうちの１つの端子部（以下、第１の端子部と称す）と２つの栓刃挿入口１１ａ’，１２ａ’それぞれに挿入される接触子とを導電部材（図示せず）により接続し、他の１つの端子部（以下、第２の端子部と称す）と２つの栓刃挿入口１１ｂ’，１２ｂ’それぞれに挿入される接触子とを導電部材（図示せず）により接続し、残りの１つの端子部（以下、第３の端子部と称す）と２つの接地ピン挿入口１１ｃ’，１２ｃ’それぞれに挿入される接触子とを導電部材（図示せず）により接続するように構成されており、各一対の電線挿入孔１４’，１４’の一方を送り配線用の電線挿入孔として用いることができるようになっている。
【０００５】
また、器体１’内には、各端子部ごとに設けた一対の鎖錠ばねに跨るように配設され端子部に電線を接続保持した状態を解除する際に操作される３つの解除釦が収納され、器体１’の後壁において各解除釦それぞれに対応する部位には操作孔１５’が形成されている。しかして、操作孔１５’にマイナスドライバの先端部などを挿入して解除釦を押すことにより、電線を接続保持している鎖錠ばねを電線から離すように撓ませて電線を引き抜くことができるようになっている。
【０００６】
【特許文献１】
意匠登録第８０７７３３号公報
【０００７】
【発明が解決しようとする課題】
ところで、上記従来のコンセントは、各端子部と単相３線の各電線との接続状態を解除する際に、単相３線の各電線ごとに異なる解除釦を操作する必要があるので、手間がかかるという不具合があった。また、上記従来のコンセントを図１０に示すように比較的固い３本の電線５１，５２，５３をシースに入れたＶＶＦケーブルからなる単相３線用ケーブル５０に接続するような場合、例えば、一方の電圧線である電線５１を上記第１の端子部へ、他方の電圧線である電線５３を上記第２の端子部へ、中性線である電線５２を上記第３の端子部へ、それぞれ接続する必要があるので、電線５１，５２，５３を挿入する電線挿入孔１４’，１４’，１４’が器体１’の後面に平行な面内で離散しており、各電線５１，５２，５３をフォーミングしてから各端子部へ接続する必要があり、各端子部への結線作業が面倒であった。
【０００８】
本発明は上記事由に鑑みて為されたものであり、その目的は、単相３線用ケーブルの３本の電線を接続した接続状態を容易に解除することができるコンセントを提供することにある。
【０００９】
【課題を解決するための手段】
請求項１の発明は、上記目的を達成するために、単相３線の電圧線間の電圧用のプラグを差込可能な第１の差込部および単相３線の一方の電圧線と中性線との間の電圧用のプラグを差込可能な第２の差込部が前壁に設けられ単相３線用ケーブルの３本の電線それぞれを挿入する３つの電源用電線挿入孔が貫設された器体を備え、第１の差込部に差し込まれるプラグおよび第２の差込部に差し込まれるプラグと３つの電源用電線挿入孔を通して器体内へ挿入される３本の電線とを器体内の導電部材により接続するコンセントであって、３つの電源用電線挿入孔それぞれを通して器体内へ挿入される単相３線用ケーブルの３本の電線をそれぞれ導電性を有する板ばねからなる電源用鎖錠ばねのばね力によって接続保持する速結端子構造の電源用端子部が設けられるとともに、器体内において３個の電源用鎖錠ばねに跨るように配設され電源用端子部に単相３線用ケーブルの３本の電線を接続保持した状態を解除する際に操作される１つの電源用解除釦が設けられてなることを特徴とする。この請求項１の発明の構成によれば、単相３線用ケーブルの３本の電線を電源用端子部に接続した状態から１つの電源用解除釦を操作することにより、各電線をそれぞれ接続保持している３個の電源用鎖錠ばねを各電線から離すように一括して撓ませて各電線を引き抜くことができるので、単相３線用ケーブルの３本の電線を接続した接続状態を容易に解除することができる。
【００１０】
請求項２の発明は、請求項１の発明において、前記各電源用電線挿入孔は、前記器体の後壁から膨出した膨出部に貫設され、前記単相３線用ケーブルの前記電線の連設ピッチに合わせたピッチで一列に並んでいることを特徴とする。この請求項２の発明の構成によれば、前記各電源用電線挿入孔が膨出部に貫設されていることで前記各電源用電線挿入孔の位置を視認しやすくなり、しかも、前記単相３線用ケーブルとしてＶＶＦケーブルを用いるような場合に、前記単相３線用ケーブルの前記各電線をフォーミングすることなく前記各電源用電線挿入孔へ同時に挿入することができ結線作業が容易になる。
【００１１】
請求項３の発明は、請求項２の発明において、前記器体は、前端部の外周形状が施工面に固定される金属製取付枠に形成された長方形状の開口窓に合致する形状に形成されて前端部が開口窓内に挿入された形で金属製取付枠に保持され、長手方向の中央部において短手方向の一方側に前記膨出部が設けられるとともに他方側に他の膨出部が設けられ、前記各膨出部は、前記器体の後壁と後壁に隣り合う側壁とに跨って形成され、側壁から膨出された部分が金属製取付枠の後面に当接してなることを特徴とする。この請求項３の発明の構成によれば、前記各膨出部において前記器体の側壁から膨出した部分の前面を金属製取付枠の後面に当接させた形で前記器体と金属製取付枠とを一体化したコンセントを構成できる。
【００１２】
請求項４の発明は、請求項３の発明において、前記器体には、前記一方の電圧線と前記中性線との間の電圧の送り配線用電線を挿入する送り用電線挿入孔およびアース電線を挿入するアース用電線挿入孔が貫設され、送り用電線挿入孔を通して前記器体内へ挿入される送り配線用電線を導電性を有する板ばねからなる送り配線用鎖錠ばねのばね力によって接続保持する速結端子構造の送り配線用端子部が設けられるとともに、アース用電線挿入孔を通して前記器体内へ挿入されるアース電線を導電性を有する板ばねからなるアース電線用鎖錠ばねのばね力によって接続保持する速結端子構造のアース用端子部が設けられ、送り用電線挿入孔およびアース用電線挿入孔が前記他の膨出部に形成されてなることを特徴とする。この請求項４の発明の構成によれば、送り用電線挿入孔およびアース用電線挿入孔の位置が視認しやすくなり、しかも、送り用電線挿入孔を貫設する部分とアース用電線挿入孔を貫設する部分とを別々に膨出して設ける場合に比べて前記他の膨出部の小型化を図ることができる。
【００１３】
請求項５の発明は、請求項４の発明において、前記器体は、前記他の膨出部における前記送り用電線挿入孔と前記アース用電線挿入孔との間の部位に凸部若しくは凹部が設けられてなることを特徴とする。この請求項５の発明の構成によれば、前記送り用電線挿入孔と前記アース用電線挿入孔との間の沿面距離を長くすることができ、前記送り配線用端子部と前記アース用端子部との間の絶縁性を向上させることができる。また、前記他の膨出部において前記送り用電線挿入孔が形成された部位と前記アース用電線挿入孔が形成された部位とを凸部若しくは凹部により区分することができ、前記送り用電線挿入孔と前記アース用電線挿入孔との識別が容易になる。
【００１４】
請求項６の発明は、請求項３の発明において、前記器体には、アース電線を挿入するアース用電線挿入孔が前記他の膨出部に貫設され、アース用電線挿入孔を通して前記器体内へ挿入されるアース電線を導電性を有する板ばねからなるアース電線用鎖錠ばねのばね力によって接続保持する速結端子構造のアース用端子部が設けられてなることを特徴とする。この請求項６の発明の構成によれば、アース用電線挿入孔の位置が視認しやすくなる。
【００１５】
【発明の実施の形態】
（実施形態１）
以下、本実施形態のコンセントについて図１を参照しながら説明する。
【００１６】
本実施形態のコンセントは、柱上変圧器Ｔ（図９参照）の二次側の単相３線の３本の電線５１，５２，５３に接続され単相３線の一対の電圧線である電線５１，５３間の電圧（２００Ｖ）用および単相３線の一方の電圧線である電線５３と中性線である電線５２との間の電圧（１００Ｖ）用として使用するものである。
【００１７】
本実施形態のコンセントの器体１は、前面開口した箱状の合成樹脂製のボディ１ａと、後面が開口した箱状であってボディ１ａの前面側に配設される合成樹脂製のカバー１ｂとを、金属製取付枠２の一対の枠片２１からそれぞれ２つずつ突設した４つの組立枠２９を用いて結合されている。ここにおいて、各組立枠２９は、ボディ１ａに突設された組立凸部１７ａとカバー１ｂに突設された組立凸部１７ｂとからなる組立突起を挿入した後でかしめることにより塑性変形されている。
【００１８】
金属製取付枠２は、埋込型の配線器具の施工時に用いる金属製取付枠（ＪＩＳＣ８３７５参照）と略同じ構成を有するように形成されており、一対の枠片２１の上端部同士および下端部同士をそれぞれ横片２２で連続一体に結合することによって、器体１の前面を露出させる長方形状の第１の開口窓２３を中央部に備えた縦長の矩形枠状に形成されている。金属製取付枠２の各横片２２の中間部には、該金属製取付枠２を壁面などの造営面に埋込配置された埋め込みボックス（図示せず）に取り付けるためのボックスねじ（図示せず）を挿通するボックス用孔２４と、プレート枠（図示せず）を取り付けるためのプレートねじ（図示せず）が螺着されるプレートねじ孔２６と、金属製取付枠２を壁面などの施工面に直付けするためのねじが挿通されるねじ挿通孔２７と、施工面を形成する壁パネルなどに取り付ける際に使用するはさみ金具（図示せず）を係止するはさみ金具係止孔２８とが設けてある。したがって、金属製取付枠２には、器体１の前面を露出させる第２の開口窓を有する矩形枠状のプレート枠をプレートねじを用いて取り付けることができる。なお、プレート枠は、器体１の前面を露出させる第３の開口窓を有しプレート枠の前面を覆う合成樹脂製の化粧プレートが取着できるようになっている。また、上述の組立枠２９は、金属製取付枠２に連続一体に形成されている。
【００１９】
一方、器体１は、埋込型の配線器具の施工時に用いる金属製取付枠に該金属製取付枠の開口窓からケースの前面が露出する形で最大３個まで連設して取り付けることができるように寸法設定された単位寸法の埋込配線器具の３個分に相当する寸法（いわゆる１連モジュール寸法）に形成されている。すなわち、器体１は、ＪＩＳ規格で規格化されている大角形連用配線器具の１連用の取付枠に最大３個まで取り付けることができる配線器具の３個分の寸法に形成されており、金属製取付枠２の開口窓２３から器体１の前面が露出している。
【００２０】
本実施形態のコンセントは、２００Ｖ用のプラグおよび１００Ｖ用のプラグを差込接続することができるように、器体１の前壁に２つの差込部１１，１２が形成されている。図１（ａ）における上側の差込部１１は、接地極付きプラグの一対の栓刃（接触子）が挿入される一対の栓刃挿入口１１ａ，１１ｂと、接地極である接地ピン（接触子）が挿入される接地ピン挿入口１１ｃとを有し、図１（ａ）における下側の差込部１２は、接地極付きプラグの一対の栓刃（接触子）が挿入される一対の栓刃挿入口１２ａ，１２ｂと、接地極が挿入される接地極挿入口１２ｃとを有している。なお、図１（ｄ）は本実施形態のコンセントの配線を模式的に説明するための図であって、図１（ｄ）中の１１ａａ，１１ｂｂ，１２ａａ，１２ｂｂがそれぞれ栓刃挿入口１１ａ，１１ｂ，１２ａ，１２ｂを通して器体１内に挿入される接触子と電気的に接続される導電部材を示し、図１（ｄ）中の１１ｃｃ，１２ｃｃが接地ピン挿入口１１ｃ，１２ｃを通して器体１内に挿入される接触子と電気的に接続される導電部材を示しており、器体１内で導電部材１１ｂｂと導電部材１２ｂｂとがあらかじめ導電部材により接続され、施工時に３つの導電部材１１ａａ，１２ａａ，１２ｂｂそれぞれに電線５１，５２，５３が電気的に接続されることを示している。また、図１（ｄ）において括弧内には各電線５１，５２，５３それぞれの絶縁被覆の色を記載してある。すなわち、各電線５１，５２，５３の絶縁被覆の色は、それぞれ赤色、白色、黒色となっている。
【００２１】
本実施形態のコンセントは、例えば上述の図１０に示したような比較的固い３本の電線５１，５２，５３をシースに入れたＶＶＦケーブルからなる単相３線用ケーブル５０に接続して使用するものであって、器体１の後壁と側壁とに跨って器体１から膨出した島状の第１の膨出部１３ａに単相３線用ケーブル５０の３本の電線５１，５２，５３それぞれを挿入する３つの電線挿入孔（以下、電源用電線挿入孔と称す）１４，１４，１４が貫設され、３つの電源用電線挿入孔１４，１４，１４それぞれを通して器体１内へ挿入される単相３線用ケーブル５０の３本の電線５１，５２，５３をそれぞれ導電性を有する板ばねからなる鎖錠ばね（以下、電源用鎖錠ばねと称す）のばね力によって接続保持する速結端子構造の電源用端子部（図示せず）が設けられている。なお、上述の各電線５１，５２，５３は絶縁被覆電線であって器体１に挿入する部位は芯線が露出するように絶縁被覆が除去される。したがって、電源用鎖錠ばねのばね力によって接続保持される部分は実際には芯線である。
【００２２】
ところで、本実施形態のコンセントは、３本の電線５１，５２，５３それぞれが接続される電源用端子部が、上述の説明から分かるように３つの速結端子構造を有しており、各速結端子構造がそれぞれ上述の導電部材１１ａａ，１２ａａ，１２ｂｂと電気的に接続されている。しかして、本実施形態のコンセントでは、上述の３本の電線５１，５２，５３を電源用電線挿入孔１４，１４，１４に挿入して各速結端子構造と電気的に接続することによって、図１（ａ）における上側の差込部１１を２００Ｖ用のプラグの差込部として利用でき、図１（ａ）における下側の差込部１２を１００Ｖ用のプラグの差込部として利用できるのである。
【００２３】
また、第１の膨出部１３ａに貫設された３つの電源用電線挿入孔１４，１４，１４は図１（ｃ）における上下方向に等しいピッチで配列されており、当該ピッチが上述の単相３線用ケーブル５０の電線５１，５２，５３の配列ピッチと等しくなっており、隣り合う電源用電線挿入孔１４間の間隔と単相３線用ケーブル５０の隣り合う電線間（電線５１，５２間、電線５２，５３間）の間隔とが略等しくなっている。したがって、結線作業時に電線５１，５２，５３をフォーミングすることなく３つの電源用電線挿入孔１４，１４，１４へ同時に挿入することができ、結線作業が容易になる。なお、３つの電源用電線挿入孔１４，１４，１４のうち配列方向における真ん中の電源用電線挿入孔１４の近傍には、当該真ん中の電源用電線挿入孔１４が白色の絶縁被覆を有する中性線からなる電線５２を挿入する電線挿入孔であることを示す表記（図１（ｃ）では、「Ｗ」）がなされているので、これら３つの電源用電線挿入孔１４，１４，１４が単相３線の各電線（本実施形態では、電線５１，５２，５３）を挿入する電線挿入孔であることを容易に視認することができる。また、電源用電線挿入孔１４，１４，１４が第１の膨出部１３ａに貫設されていることで、各電源用電線挿入孔１４，１４，１４の位置を視認しやすくなる。なお、図１（ｃ）に示した例では、３つの電源用電線挿入孔１４，１４，１４のうち真ん中の電源用電線挿入孔１４の右横に「Ｗ」の表記をしてあるが、このような表記の代わりに、例えば、３つの電源用電線挿入孔１４，１４，１４それぞれの近傍（例えば、図１（ｃ）における右横）に挿入すべき電線の色を表記しておけば（例えば、３つの電源用電線挿入孔１４，１４，１４の右横に上から順に、電線５１の絶縁被覆の色である「赤」、電線５２の絶縁被覆の色である「白」、電線５３の絶縁被覆の色である「黒」の文字を表記しておけば）、電線５１，５２，５３の誤接続をより確実に防止することができる。
【００２４】
また、本実施形態のコンセントは、器体１内において３個の電源用鎖錠ばねに跨るように配設され電源用端子部に単相３線用ケーブル５０の３本の電線５１，５２，５３を接続保持した状態で解除する際に操作される１つの合成樹脂製の電源用解除釦（図示せず）が設けられている。ここに、本実施形態のコンセントでは、器体１の第１の膨出部１３ａにおいて電源用解除釦に対応する部位に操作孔１５が貫設されており、操作孔１５にマイナスドライバの先端部などを挿入して電源用解除釦を押すことにより、各電線５１，５２，５３をばね力によって接続保持している３個の電源用鎖錠ばねを各電線５１，５２，５３から離すように撓ませて各電線５１，５２，５３を引き抜くことができるので、単相３線用ケーブル５０の３本の電線５１，５２，５３を接続した接続状態を容易に解除することができる。
【００２５】
また、器体１は、第１の膨出部１３ａから離間して島状の第２の膨出部１３ｂが後壁および側壁から膨出されている。第２の膨出部１３ｂには、４つの電線挿入孔１４が器体１の長手方向（図１（ｃ）における上下方向）に配列されている。ここに、本実施形態では、第２の膨出部１３ｂにおける上側の２つの電線挿入孔１４，１４がそれぞれアース電線を挿入するアース用電線挿入孔を構成し、下側の２つの電線挿入孔１４，１４が１００Ｖの送り配線用電線を挿入する送り用電線挿入孔を構成しており、器体１内には、アース用電線挿入孔１４，１４を通して器体１内へ挿入される２本のアース電線をそれぞれ導電性を有する板ばねからなる鎖錠ばね（以下、アース電線用鎖錠ばねと称す）のばね力によって接続保持する速結端子構造のアース用端子部（図示せず）が設けられるとともに、送り用電線挿入孔１４，１４を通して器体１内へ挿入される２本の送り配線用電線をそれぞれ導電性を有する板ばねからなる鎖錠ばね（以下、送り配線用鎖錠ばねと称す）のばね力によって接続保持する速結端子構造の送り配線用端子部が設けられている。したがって、一対の送り用電線挿入孔１４，１４および一対のアース用電線挿入孔１４，１４の位置が視認しやすくなり、しかも、一対の送り用電線挿入孔１４，１４と一対のアース用電線挿入孔１４，１４とを互いに異なる膨出部に設ける場合に比べて膨出部の小型化を図ることができる。なお、上述の各アース電線および各送り配線用電線は絶縁被覆電線であって器体１に挿入する部位は芯線が露出するように絶縁被覆が除去される。このため、アース電線用鎖錠ばねおよび送り配線用鎖錠ばねのばね力によって接続保持される部分は実際には芯線である。また、上述の２本の送り配線用電線としては、図２に示すように比較的固い２本の電線６２，６３をシースに入れた電源ケーブル６０における電線６２，６３を用いればよい。ここに、電源ケーブル６０は、一方の電線６２の絶縁被覆の色が白色、他方の電線６３の絶縁被覆の色が黒色となっている。
【００２６】
また、第２の膨出部１３ｂの後面には、一対のアース用電線挿入孔１４，１４において下に形成されたアース用電線挿入孔１４と一対の送り用電線挿入孔１４，１４において上に形成された送り用電線挿入孔１４との間の部位に、後方へ突出する凸部１６が左右方向（器体１の短手方向）に沿って形成されている。したがって、送り用電線挿入孔１４とアース用電線挿入孔１４との間の沿面距離を長くすることができ、送り配線用端子部とアース用端子部との間の絶縁性を向上させることができる。また、第２の膨出部１３ｂにおいて送り用電線挿入孔１４が形成された部位とアース用電線挿入孔１４が形成された部位とを凸部１６により区分することができ、送り用電線挿入孔１４とアース用電線挿入孔１４との識別が容易になる。なお、一対の送り用電線挿入孔１４，１４のうち上側の送り用電線挿入孔１４の近傍には、当該上側の送り用電線挿入孔１４が白色の絶縁被覆を有する電線６２を挿入する電線挿入孔であることを示す表記（図１（ｃ）では、「Ｗ」）がなされ、アース用電線挿入孔１４，１４の近くにはアース電線を挿入する電線挿入孔であることを示す表記（図１（ｃ）では、アース記号）がなされているので、誤接続を防止することができる。ここに、図１（ｃ）に示した例では、２つの送り用電線挿入孔１４，１４のうち上側の送り用電線挿入孔１４の右横に「Ｗ」の表記をしてあるが、このような表記の代わりに、例えば、２つの送り用電線挿入孔１４，１４それぞれの近傍（例えば、図１（ｃ）における右横）に挿入すべき電線の色を表記しておけば（例えば、図１（ｃ）における２つの送り用電線挿入孔１４，１４の右横に上から順に、電線６２の色である「白」、電線６３の色である「黒」の文字を表記しておけば）、電線６２，６３の誤接続をより確実に防止することができる。また、上述の凸部１６の代わりに凹部を形成してもよく、この場合にも送り用電線挿入孔１４とアース用電線挿入孔１４との間の沿面距離を長くすることができて、送り配線用端子部とアース用端子部との間の絶縁性を向上させることができ、しかも、第２の膨出部１３ｂにおいて送り用電線挿入孔１４が形成された部位とアース用電線挿入孔１４が形成された部位とを凹部により区分することができ、送り用電線挿入孔１４とアース用電線挿入孔１４との識別が容易になる。
【００２７】
また、本実施形態のコンセントは、器体１内において２個のアース電線用鎖錠ばねに跨るように配設されアース用端子部に電源ケーブル６０の２本の電線６２，６３を接続保持した状態で解除する際に操作される１つの合成樹脂製のアース用解除釦（図示せず）と、器体１内において２個の送り配線用鎖錠ばねに跨るように配設され送り配線用端子部に２本の電線６２，６３を接続保持した状態で解除する際に操作される１つの合成樹脂製の送り配線用解除釦とを有している。ここに、本実施形態のコンセントでは、器体１の第２の膨出部１３ｂにおいてアース用解除釦に対応する部位に操作孔１５が貫設されており、操作孔１５にマイナスドライバの先端部などを挿入してアース用解除釦を押すことにより、各アース電線をそれぞればね力によって接続保持している２個のアース電線用鎖錠ばねを各アース電線から離すように撓ませて各アース電線を引き抜くことができるので、２本のアース電線を接続した接続状態を容易に解除することができる。また、器体１の第２の膨出部１３ｂにおいて送り配線用解除釦に対応する部位にも操作孔１５が貫設されており、操作孔１５にマイナスドライバの先端部などを挿入して送り配線用解除釦を押すことにより、電源ケーブル６０の各電線６２，６３をそれぞればね力によって接続保持している２個の送り配線用鎖錠ばねを各電線６２，６３から離すように撓ませて各電線６２，６３を引き抜くことができるので、２本の電線６２，６３を接続した接続状態を容易に解除することができる。
【００２８】
なお、本実施形態では、器体１の前端部の外周形状が施工面に固定される金属製取付枠２に形成された長方形状の第１の開口窓２３に合致する形状に形成されて前端部が第１の開口窓２３内に挿入された形で金属製取付枠２に保持され、長手方向の中央部において短手方向の一方側に第１の膨出部１３ａが設けられるとともに他方側に第２の膨出部１３ｂが設けられ、各膨出部１３ａ，１３ｂは、器体１の後壁と後壁に隣り合う側壁とに跨って形成され、側壁から膨出された部分が金属製取付枠２の後面に当接させてあるので、各膨出部１３ａ，１３ｂにおいて器体１の側壁から膨出した部分の前面を金属製取付枠２の後面に当接させた形で器体１と金属製取付枠２とを一体化したコンセントを構成できる。
【００２９】
（実施形態２）
本実施形態のコンセントの基本構成は実施形態１と略同じであって、図３に示すように、器体１の前壁に形成された２つの差込部１１，１２のうち下側の差込部１２が１００Ｖ用であって接地極なしのプラグを差込可能としている点などが相違する。ここに、図３（ａ）における下側の差込部１２は、接地極なしのプラグの一対の栓刃（接触子）が挿入される一対の栓刃挿入口１２ａ，１２ｂを有しており、一対の栓刃挿入口１２ａ，１２ｂが器体１の長手方向（図３（ａ）の上下方向）に離間している。なお、図３（ｄ）は本実施形態のコンセントの配線を模式的に説明するための図であって、図３（ｄ）中の１１ａａ，１１ｂｂ，１２ａａ，１２ｂｂがそれぞれ栓刃挿入口１１ａ，１１ｂ，１２ａ，１２ｂを通して器体１内に挿入される接触子と電気的に接続される導電部材を示し、図３（ｄ）中の１１ｃｃが接地ピン挿入口１１ｃを通して器体１内に挿入される接触子と電気的に接続される導電部材を示しており、器体１内で導電部材１１ｂｂと導電部材１２ａａとがあらかじめ導電部材により接続され、施工時に３つの導電部材１１ａａ，１２ａａ，１２ｂｂそれぞれに電線５１，５３，５２が電気的に接続されることを示している。
【００３０】
他の構成は実施形態１と同じなので、実施形態１と同じ構成要素に同一の符号を付して説明を省略する。
【００３１】
（実施形態３）
本実施形態のコンセントの基本構成は実施形態２と略同じであって、図４に示すように、図４（ａ）における下側の差込部１２の一対の栓刃挿入口１２ａ，１２ｂが器体１の短手方向（図４（ａ）の左右方向）に離間している点が相違する。
【００３２】
他の構成は実施形態２と同じなので、実施形態２と同じ構成要素に同一の符号を付して説明を省略する。
【００３３】
（実施形態４）
本実施形態のコンセントの基本構成は実施形態３と略同じであって、図５に示すように、第２の膨出部１３ｂにアース用電線挿入孔１４，１４のみを貫設している点などが相違する。また、実施形態３では実施形態１と同様に、器体１内に送り配線用端子部および送り配線用解除釦を設けているのに対して、本実施形態では、送り配線用端子部および送り配線用解除釦を設けていないので、実施形態３に比べて部品点数を削減することができる。
【００３４】
他の構成は実施形態３と同じなので、実施形態３と同じ構成要素に同一の符号を付して説明を省略する。
【００３５】
（実施形態５）
本実施形態のコンセントの基本構成は実施形態１と略同じであって、図６に示すように、第２の膨出部１３ｂにアース用電線挿入孔１４，１４のみを貫設している点などが相違する。また、実施形態１では、器体１内に送り配線用端子部および送り配線用解除釦を設けているのに対して、本実施形態では、送り配線用端子部および送り配線用解除釦を設けていないので、実施形態１に比べて部品点数を削減することができる。
【００３６】
他の構成は実施形態１と同じなので、実施形態１と同じ構成要素に同一の符号を付して説明を省略する。
【００３７】
（実施形態６）
本実施形態のコンセントの基本構成は実施形態２と略同じであって、図７に示すように、第２の膨出部１３ｂにアース用電線挿入孔１４，１４のみを貫設している点などが相違する。また、実施形態２では実施形態１と同様に、器体１内に送り配線用端子部および送り配線用解除釦を設けているのに対して、本実施形態では、送り配線用端子部および送り配線用解除釦を設けていないので、実施形態２に比べて部品点数を削減することができる。
【００３８】
他の構成は実施形態２と同じなので、実施形態２と同じ構成要素に同一の符号を付して説明を省略する。
【００３９】
【発明の効果】
請求項１の発明は、単相３線の電圧線間の電圧用のプラグを差込可能な第１の差込部および単相３線の一方の電圧線と中性線との間の電圧用のプラグを差込可能な第２の差込部が前壁に設けられ単相３線用ケーブルの３本の電線それぞれを挿入する３つの電源用電線挿入孔が貫設された器体を備え、第１の差込部に差し込まれるプラグおよび第２の差込部に差し込まれるプラグと３つの電源用電線挿入孔を通して器体内へ挿入される３本の電線とを器体内の導電部材により接続するコンセントであって、３つの電源用電線挿入孔それぞれを通して器体内へ挿入される単相３線用ケーブルの３本の電線をそれぞれ導電性を有する板ばねからなる電源用鎖錠ばねのばね力によって接続保持する速結端子構造の電源用端子部が設けられるとともに、器体内において３個の電源用鎖錠ばねに跨るように配設され電源用端子部に単相３線用ケーブルの３本の電線を接続保持した状態を解除する際に操作される１つの電源用解除釦が設けられてなるものであり、単相３線用ケーブルの３本の電線を電源用端子部に接続した状態から１つの電源用解除釦を操作することにより、各電線をそれぞれ接続保持している３個の電源用鎖錠ばねを各電線から離すように一括して撓ませて各電線を引き抜くことができるので、単相３線用ケーブルの３本の電線を接続した接続状態を容易に解除することができるという効果がある。
【００４０】
請求項２の発明は、請求項１の発明において、前記各電源用電線挿入孔は、前記器体の後壁から膨出した膨出部に貫設され、前記単相３線用ケーブルの前記電線の連設ピッチに合わせたピッチで一列に並んでいるので、前記各電源用電線挿入孔が膨出部に貫設されていることで前記各電源用電線挿入孔の位置を視認しやすくなり、しかも、前記単相３線用ケーブルとしてＶＶＦケーブルを用いるような場合に、前記単相３線用ケーブルの前記各電線をフォーミングすることなく前記各電源用電線挿入孔へ同時に挿入することができ結線作業が容易になるという効果がある。
【００４１】
請求項３の発明は、請求項２の発明において、前記器体は、前端部の外周形状が施工面に固定される金属製取付枠に形成された長方形状の開口窓に合致する形状に形成されて前端部が開口窓内に挿入された形で金属製取付枠に保持され、長手方向の中央部において短手方向の一方側に前記膨出部が設けられるとともに他方側に他の膨出部が設けられ、前記各膨出部は、前記器体の後壁と後壁に隣り合う側壁とに跨って形成され、側壁から膨出された部分が金属製取付枠の後面に当接させてあるので、前記各膨出部において前記器体の側壁から膨出した部分の前面を金属製取付枠の後面に当接させた形で前記器体と金属製取付枠とを一体化したコンセントを構成できるという効果がある。
【００４２】
請求項４の発明は、請求項３の発明において、前記器体には、前記一方の電圧線と前記中性線との間の電圧の送り配線用電線を挿入する送り用電線挿入孔およびアース電線を挿入するアース用電線挿入孔が貫設され、送り用電線挿入孔を通して前記器体内へ挿入される送り配線用電線を導電性を有する板ばねからなる送り配線用鎖錠ばねのばね力によって接続保持する速結端子構造の送り配線用端子部が設けられるとともに、アース用電線挿入孔を通して前記器体内へ挿入されるアース電線を導電性を有する板ばねからなるアース電線用鎖錠ばねのばね力によって接続保持する速結端子構造のアース用端子部が設けられ、送り用電線挿入孔およびアース用電線挿入孔が前記他の膨出部に形成されているので、送り用電線挿入孔およびアース用電線挿入孔の位置が視認しやすくなり、しかも、送り用電線挿入孔を貫設する部分とアース用電線挿入孔を貫設する部分とを別々に膨出して設ける場合に比べて前記他の膨出部の小型化を図ることができるという効果がある。
【００４３】
請求項５の発明は、請求項４の発明において、前記器体は、前記他の膨出部における前記送り用電線挿入孔と前記アース用電線挿入孔との間の部位に凸部若しくは凹部が設けられているので、前記送り用電線挿入孔と前記アース用電線挿入孔との間の沿面距離を長くすることができ、前記送り配線用端子部と前記アース用端子部との間の絶縁性を向上させることができるという効果がある。また、前記他の膨出部において前記送り用電線挿入孔が形成された部位と前記アース用電線挿入孔が形成された部位とを凸部若しくは凹部により区分することができ、前記送り用電線挿入孔と前記アース用電線挿入孔との識別が容易になるという効果がある。
【００４４】
請求項６の発明は、請求項３の発明において、前記器体には、アース電線を挿入するアース用電線挿入孔が前記他の膨出部に貫設され、アース用電線挿入孔を通して前記器体内へ挿入されるアース電線を導電性を有する板ばねからなるアース電線用鎖錠ばねのばね力によって接続保持する速結端子構造のアース用端子部が設けられているので、アース用電線挿入孔の位置が視認しやすくなるという効果がある。
【図面の簡単な説明】
【図１】実施形態１を示し、（ａ）は正面図、（ｂ）は右側面図、（ｃ）は背面図、（ｄ）は配線説明図である。
【図２】同上に接続する送り配線用の電源ケーブルの概略構成図である。
【図３】実施形態２を示し、（ａ）は正面図、（ｂ）は右側面図、（ｃ）は背面図、（ｄ）配線説明図である。
【図４】実施形態３を示し、（ａ）は正面図、（ｂ）は右側面図、（ｃ）は背面図、（ｄ）は配線説明図である。
【図５】実施形態４を示し、（ａ）は正面図、（ｂ）は右側面図、（ｃ）は背面図、（ｄ）は配線説明図である。
【図６】実施形態５を示し、（ａ）は正面図、（ｂ）は右側面図、（ｃ）は背面図、（ｄ）は配線説明図である。
【図７】実施形態６を示し、（ａ）は正面図、（ｂ）は右側面図、（ｃ）は背面図、（ｄ）は配線説明図である。
【図８】従来例を示し、（ａ）は正面図、（ｂ）は右側面図、（ｃ）は背面図である。
【図９】同上を接続する単相３線の説明図である。
【図１０】同上に接続する単相３線用ケーブルの概略構成図である。
【符号の説明】
１  器体
２  金属製取付枠
１３ａ  第１の膨出部
１３ｂ  第２の膨出部
１４  電線挿入孔
１５  操作孔
１６  凸部
【図１】
2004259568.tif 000003
【図２】
2004259568.tif 000004
【図３】
2004259568.tif 000005
【図４】
2004259568.tif 000006
【図５】
2004259568.tif 000007
【図６】
2004259568.tif 000008
【図７】
2004259568.tif 000009
【図８】
2004259568.tif 000010
【図９】
2004259568.tif 000011
【図１０】
2004259568.tif 000012